(57)【特許請求の範囲】
【請求項１】
集積回路モジュール（１０）を有するセキュリティ誘導装置であって、
前記集積回路モジュール（１０）は、メモリチップ（１２）と、制御素子（１３）と、接続インターフェース（１４）と、系列生成ユニット（１５）と、を備え、前記集積回路モジュール（１０）の基板（１１）により相互に電気的に接続され、また前記接続インターフェース（１４）が前記基板（１１）の外表面（１１１）に設けられる以外、その他の構成要素は前記基板（１１）の内表面（１１２）に設けられ、
前記接続インターフェース（１４）は、設備（２０）のスロット（２１）に挿入され、
前記制御素子（１３）のマンマシンインターフェース装置モジュール（１３１）は、キーボードモードで前記設備（２０）に電気的に接続されて、前記系列生成ユニット（１５）よりネットワーク位置（１５１）が生成され、
そして前記制御素子（１３）の自動キーインモジュール（１３２）より前記ネットワーク位置（１５１）のキーボード信号が前記設備（２０）に順次出力されて、前記設備（２０）が前記ネットワーク位置（１５１）にリンク接続され、前記ネットワーク位置（１５１）のサーバ（３０）の認証ユニット（３１）が前記サーバ（３０）の対照データ（３２）の相対データを読み取って前記設備（２０）に返送し、
前記サーバ（３０）の記録データに使用された前記ネットワーク位置が記録され、前記相対データが前記設備に返送された後、前記ネットワーク位置の使用が非重複である場合に前記ネットワーク位置の内容を開始する（３０７１）ことを特徴とする、セキュリティ誘導装置。
【請求項２】
前記系列生成ユニット（１５）は、演算素子（１５２）を備えることを特徴とする、請求項１に記載のセキュリティ誘導装置。
【請求項３】
前記メモリチップ（１２）は、予め設定されたウェブアドレス（１２１）と、演算数式（１２２）と、を含むことを特徴とする、請求項１に記載のセキュリティ誘導装置。
【請求項４】
前記系列生成ユニット（１５）は、電波時計素子（１５３）を備えることを特徴とする、請求項２に記載のセキュリティ誘導装置。
【請求項５】
前記集積回路モジュール（１０）は、時刻校正ユニット（１６）と、蓄電ユニット（１７）と、を備えることを特徴とする、請求項４に記載のセキュリティ誘導装置。
【請求項６】
セキュリティ誘導装置の実行方法であって、
集積回路モジュールの接続インターフェースを設備のスロットに挿入するステップ１（３０１）と、
電力を導通するステップ２（３０２）と、
前記集積回路モジュールの制御素子（１３）のマンマシンインターフェース装置モジュール（１３１）がキーボードモードで前記設備（２０）と電気的に接続されるステップ３（３０３）と、同時に
前記集積回路モジュールの系列生成ユニットがネットワーク位置を生成するステップ４（３０４）と、
前記制御素子の自動キーインモジュールから特定のブラウザ開始のキー操作指令を発信して、特定のブラウザを立ち上げるステップ５（３０５）と、そして
前記特定のブラウザのウェブアドレス欄に、前記自動キーインモジュールから前記ネットワーク位置を提出してキーインすると共に、前記ネットワーク位置に接続するステップ６（３０６）と、
前記ネットワーク位置のサーバが認証ユニットを使用して前記ネットワーク位置に対応する対照データを読み取ると共に、相対情報を前記設備に返送するステップ７（３０７）と、を含み、
前記ステップ７を行った後に、前記サーバの記録データに使用された前記ネットワーク位置を記録しており、前記ネットワーク位置の使用が非重複である場合、前記ネットワーク位置の内容を開始する（３０７１）ことを特徴とする、セキュリティ誘導装置の実行方法。
【請求項７】
ステップ１を行う前に、前記集積回路モジュールの時刻校正ユニットを押圧して電波時計素子で時間を校正する目的を達成する（３００）ことを特徴とする、請求項６に記載のセキュリティ誘導装置の実行方法。
【請求項８】
ステップ４において、前記系列生成ユニットの演算素子で前記集積回路モジュールのメモリチップに格納された演算数式を読み取ってシリアル番号を生成し、また前記メモリチップの予め設定されたウェブアドレスを前記シリアル番号の前に追加して前記ネットワーク位置を生成する（３０４１）ことを特徴とする、請求項７に記載のセキュリティ誘導装置の実行方法。
【請求項９】
ステップ４において、前記系列生成ユニットの演算素子が前記集積回路モジュールのメモリチップに格納された演算数式及び前記電波時計素子が提供される時間情報を読み取ってシリアル番号を生成し、また前記メモリチップの予め設定されたウェブアドレスを前記シリアル番号の前に追加して前記ネットワーク位置を生成する（３０４２）ことを特徴とする、請求項６に記載のセキュリティ誘導装置の実行方法。
【請求項１０】
ステップ５を行った後に、前記自動キーインモジュールが特定の入力指令を発信することにより、前記特定のブラウザのウェブアドレス欄に入力状態を表示させる（３０５１）ことを特徴とする、請求項６に記載のセキュリティ誘導装置の実行方法。
【請求項１１】
ステップ７を行う時に、前記認証ユニットより使用される前記ネットワーク位置が時間検証メカニズムを満たすか否かを認証し、前記ネットワーク位置の使用時間が時間検証メカニズムを満たす場合、前記ネットワーク位置に対応する正確な内容を提供する（３０７２）ことを特徴とする、請求項６に記載のセキュリティ誘導装置の実行方法。
【請求項１２】
ステップ７を行う時に、前記サーバは、リンク接続される時間に基づいて対応する前記対照データを提供する（３０７３）ことを特徴とする、請求項６に記載のセキュリティ誘導装置の実行方法。
【請求項１３】
ステップ７を行う時に、前記サーバは、前記ネットワーク位置に含まれる時間情報に基づいて対応する前記対照データを提供する（３０７４）ことを特徴とする、請求項６に記載のセキュリティ誘導装置の実行方法。
【発明の詳細な説明】
【技術分野】
【０００１】
本発明は、誘導装置及び実行方法に係り、特に、演算法または当時の時刻によるネットワーク位置を生成する装置及び方法に関するものである。
【背景技術】
【０００２】
現在、情報化がますます進む中、必要な情報をいつでも取得できるために使用される電気接続設備としては、たいていデスクトップ型パソコンの他に、ノート型パソコン、ハンドヘルド式タブレットやスマートフォン等が挙げられ、前記のような製品のいずれも同様に、ネットワーク情報を取得するように支援することを最も主な機能としている。
【０００３】
日頃、ネットワーク情報の取得は、ソフトウェアインターフェースで取得する以外、その他の場合では、主にページブラウザで取得するようにしているが、そのネットワーク位置の取得の大半は、検索エンジンを媒介として取得するようにしている。然しながら、情報を取得するネットワークにおいて、上記設備を使用する時に、通常、例えば今日のバーゲンセールのネットワーク位置を取得するか、冗長なネットワーク位置を取得するかのように、外部からネットワーク位置を取得するタイミングがある。今、最も一般的な手段として、ウェブアドレスを直接に提供する方式、ウェブアドレスを短縮する方式やＱＲコード（登録商標）方式等が提供されている。その中、従来、最も常用されていた方式は、ウェブアドレスを直接に提供する方式であるが、ウェブアドレスが長すぎる問題や誤ったつづりが起こり易い等の問題があるため、ウェブアドレスを直接に提供するような方式は、ごく一部の人しか利用していなのが現状である。次に、前項に提案したように、ウェブアドレスを直接に提供する方式に比べて、ウェブアドレスを短縮するような方法は、ウェブアドレスが比較的に短いという長所があるが、誤ったつづりが起こり易い問題が却って高頻度に発生するおそれがある。最後に、ＱＲコード方式について論じる。前記方式は、画像方式で関連情報を生成される画像の中に記録しておく、必要に応じて使用に際し、画像設備を用いて前記画像を走査すれば、関連するネットワーク位置が取得される。その利便性から代表的な方式として広く普及している。
【０００４】
このような誘導方式に関連する文献としては、例えば下記の複数の関連特許が挙げられる。
【０００５】
特許文献１には、ＷＡＰプッシュによりショートメッセージを伝送するシステムと方法が開示され、主にシステムから主導的に優質なショートメッセージを提供して、ＷＡＰプッシュの方式によりユーザの携帯電話に送信し、かつショートメッセージの内容としては、文章の部分的な内容の他に、ＷＡＰウェブアドレスが含まれ、このＷＡＰウェブアドレスをクリックすると、ユーザは、携帯電話のＧＰＲＳプロトコルを介してＷＡＰページサーバに接続され、ショートメッセージの内容全てを読み出す。ショートメッセージサービスをより利便的、より効率的な方式で表示させるため、このように携帯電話に代わり、ＧＰＲＳネットワークを用いてページ上にショートメッセージを発信する新たな技術の発明は、ただ１通のショートメッセージを提供するだけで長文章の内容を読み出すことができるので、経済的かつジャンクショートメッセージの受信を低減させることができ、ＷＡＰ携帯電話により多様化することができ、及びモバイル通信上の付加価値サービスを提供することができる。
【０００６】
特許文献２には、携帯電話で迅速にネットワークにログインする操作方法が開示され、主にユーザが数字キーでＩＰアドレス（ＩＰ  Ａｄｄｒｅｓｓ）を入力した後に、ログインキーが押下されると、携帯電話を直ちにネットワークのログインモードに進み、携帯電話全体のモバイルオンラインのサービス効益を向上させることができる。この創案は、さらに予め格納された文字列を含み、文字列と自動的に接続し、ユーザが素早くオプションを選択して直ちにネットワークにログインすることができるように、ＩＰアドレスの文字列に前置、中置、後置型文字列の構造を有すしている。
【０００７】
特許文献３には、ウェブサイトに直接に接続する走査装置と方法が開示され、走査器に応用され、かつワンタッチ（Ｏｎｅｔｏｕｃｈ）の入力操作の方式を利用してウェブサイトに直接に接続し、その後、走査画像を前記ウェブサイト、実行ページまたは画像編集装置にアップロードすることが可能となる。、ユーザがワンタッチ（Ｏｎｅｔｏｕｃｈ）の入力操作の方式で制御指令を走査器の入力装置に入力した後に、走査器と電気的に接続されたパソコンシステムは、それから直にユーザが接続しようとするウェブサイトに接続される。また、ユーザが走査画像を前記ウェブサイトにアップロードしようとする場合には、走査画像が生成された後にワンタッチの入力操作の方式により、走査画像をユーザが設定するウェブサイトに直接にアップロードすることもできる。さらに、走査画像をアップロードする前に、アップロードする必要があるウェブサイトのウェブアドレスを確認や変更することものできる。
【０００８】
特許文献４には、ウェブサイトの接続方法及び上記ウェブサイトの接続方法を使用してウェブサイトに接続するシステムが開示され、クライアントパソコンをワールドワイドウェブ（ＷＷＷ）中のウェブサイトに接続するために用いられ、ネットワークに接続されたシステム中のデータベースには、ＩＰアドレスデータに対応する国番号、地域番号や電話番号等の成分が含まれる電話番号化したウェブアドレスデータを有し、そしてユーザがブラウザ（ｂｒｏｗｓｅｒ）またはネットワークよりシステムが提供されたホームページ（ｈｏｍｅｐａｇｅ）に、接続する所望のアドレスを入力した後に、データベースの中から、接続する所望のアドレスを検索目的として検索を行い、また検索結果によれば、完全一致で１件がヒットするか、少なくとも部分一致１件がヒットするか、或いは１件もヒットしない場合等があって、それぞれクライアントパソコンをユーザが接続しようとするウェブサイトに直接に接続するか、ユーザが選択できるように類似するデータをリストするか、ユーザに再入力を促すかによって対応する。
【先行技術文献】
【特許文献】
【０００９】
【特許文献１】台湾特許第３２９４４７号明細書
【特許文献２】台湾特許第２５６８２５号明細書
【特許文献３】台湾特許第４７９４３１号明細書
【特許文献４】台湾特許第５０７１３０号明細書
【発明の概要】
【発明が解決しようとする課題】
【００１０】
然しながら、上記従来の特許技術では、ネットワーク位置の入力及び提供内容を改良することを目的とするが、前項に提案したＱＲコードを使用する方式において、画像設備のサポートの必要だけでなく、リンク接続される位置が終始同一であるのもセキュリティ性に対しては問題が大いと考えられる。
【００１１】
従って、以上の問題を解決するため、本発明の主な目的は、セキュリティ誘導装置及びその実行方法を提供して上記の問題を改善することである。
【００１２】
上記の問題を鑑み、本発明が提供するセキュリティ誘導装置及びその実行方法は、主に集積回路モジュールと、サーバとを利用して構成されたセキュリティ認証であって、集積回路モジュールが演算法または当時の時刻に基づいてネットワーク位置を生成すると共に、電気設備に挿入した後に、模擬キーボード方式で電気設備がネットワーク位置を開始するように制御し、また前記ネットワーク位置のサーバが相対認証方式を使用してネットワーク位置の合法性の有無及びネットワーク位置に対応する情報を提供する必要の有無を確認する。
【００１３】
これにより、本発明の主な目的は、演算法及びサーバの認証によってセキュリティ誘導の効果を有する、セキュリティ誘導装置及びその実行方法を提供することである。
【００１４】
本発明の別の目的は、時間要素に基づいてサーバの認証を行うことによって時間要素で解読の難度を高めることができる、セキュリティ誘導装置及びその実行方法を提供することである。
【００１５】
本発明の別の目的は、時間を精確に確認するように電波時計を付設することでセキュリティ保障を効果的に増加させることができる、セキュリティ誘導装置及びその実行方法を提供することである。
【００１６】
本発明の別の目的は、高普及率の汎用シリアルバスを利用することで装置の汎用性を達成することができる、セキュリティ誘導装置及びその実行方法を提供することである。
【００１７】
本発明の別の目的は、サーバの記録方法を使用することで同一のネットワーク位置の再使用可能性を絶つことができる、セキュリティ誘導装置及びその実行方法を提供することである。
【００１８】
本発明の別の目的は、サーバが時間を要件として提供情報を変更するように設定することによって本発明の再利用率を高めることができる、セキュリティ誘導装置及びその実行方法を提供することである。
【００１９】
本発明の別の目的は、本発明の再利用の特性により装置購入コストを効果的に低減することができる、セキュリティ誘導装置及びその実行方法を提供することである。
【課題を解決するための手段】
【００２０】
上記の目的を達成するため、本発明に使用される主要な技術手段は、以下の技術提案を採用して実現される。本発明に係るセキュリティ誘導装置は、集積回路モジュールを有し、当該集積回路モジュールは、メモリチップと、制御素子と、接続インターフェースと、系列生成ユニットと、を備え、前記集積回路モジュールの基板により相互に電気的に接続され、また前記接続インターフェースが前記基板の外表面に設けられる以外、その他の構成要素は前記基板の内表面に設けられ、前記接続インターフェースは、設備のスロットに挿入され、前記制御素子のマンマシンインターフェース装置モジュールは、キーボードモードで前記設備に電気的に接続されて、前記系列生成ユニットよりネットワーク位置が生成され、そして前記制御素子の自動キーインモジュールより前記ネットワーク位置のキーボード信号が前記設備に順次出力されて、前記設備が前記ネットワーク位置にリンク接続され、前記ネットワーク位置のサーバの認証ユニットが前記サーバの対照データの相対データを読み取って前記設備に返送することを特徴とする。
【００２１】
本発明の目的及びそれらの技術問題の解決は、さらに以下の技術措置を採用して実現される。
【００２２】
前述したセキュリティ誘導装置において、前記系列生成ユニットは、演算素子を備える。
【００２３】
前述したセキュリティ誘導装置において、前記メモリチップは、所定のウェブアドレスと、演算数式と、を含む。
【００２４】
前述したセキュリティ誘導装置において、前記系列生成ユニットは、電波時計素子を備える。
【００２５】
前述したセキュリティ誘導装置において、前記集積回路モジュールは、時刻校正ユニットと、蓄電ユニットと、を備える。
【００２６】
本発明に係るセキュリティ誘導装置の実行方法は、集積回路モジュールの接続インターフェースを設備のスロットに挿入するステップ１と、電力を導通するステップ２と、前記集積回路モジュールの制御素子のマンマシンインターフェース装置モジュールが主導的にパソコンにマンマシンインターフェース装置（ＨＩＤ）が接続された要求を提出するステップ３と、同時に前記集積回路モジュールの系列生成ユニットがネットワーク位置を生成するステップ４と、前記制御素子の自動キーインモジュールから特定のブラウザ開始のキー操作指令を発信して、特定のブラウザを立ち上げるステップ５と、そして前記ウェブアドレス欄に、前記自動キーインモジュールから前記ネットワーク位置を提出してキーインすると共に、前記ネットワーク位置に接続するステップ６と、前記ネットワーク位置のサーバが認証ユニットを使用して前記ネットワーク位置に対応する対照データを読み取ると共に、相対情報を前記設備に返送するステップ７と、を含むことを特徴とする。
【００２７】
本発明の目的及びそれらの技術問題の解決は、さらに以下の技術措置手順を採用して実現される。
【００２８】
前述したセキュリティ誘導装置の実行方法において、ステップ１を行う前に、前記集積回路モジュールの時刻校正ユニットを押圧して電波時計素子で時間を校正する目的を達成する。
【００２９】
前述したセキュリティ誘導装置の実行方法において、ステップ４に、前記系列生成ユニットの演算素子で前記メモリチップの演算数式を読み取ってシリアル番号を生成し、また前記メモリチップの予め設定されたウェブアドレスを前記シリアル番号の前に追加して前記ネットワーク位置を生成する。
【００３０】
前述したセキュリティ誘導装置の実行方法において、ステップ４に、前記系列生成ユニットの演算素子が前記メモリチップの演算数式及び前記電波時計素子が提供される時間情報を読み取ってシリアル番号を生成し、また前記メモリチップの予め設定されたウェブアドレスを前記シリアル番号の前に追加して前記ネットワーク位置を生成する。
【００３１】
前述したセキュリティ誘導装置の実行方法において、ステップ５を行った後に、前記自動キーインモジュールが特定の入力指令を発信することにより、前記特定のブラウザのウェブアドレス欄に入力状態を表示させる。
【００３２】
前述したセキュリティ誘導装置の実行方法において、ステップ７に、前記サーバの記録データに使用された前記ネットワーク位置を記録しており、前記ネットワーク位置の使用が非重複である場合、前記ネットワーク位置の内容を開始する。
【００３３】
前述したセキュリティ誘導装置の実行方法において、ステップ７に、前記認証ユニットより使用される前記ネットワーク位置が時間検証メカニズムを満たすか否かを認証し、前記ネットワーク位置の使用時間が時間検証メカニズムを満たす場合、前記ネットワーク位置に対応する正確な内容を提供する。
【００３４】
前述したセキュリティ誘導装置の実行方法において、ステップ７に、前記サーバは、リンク接続される時間に基づいて対応する前記対照データを提供する。
【００３５】
前述したセキュリティ誘導装置の実行方法において、ステップ７に、前記サーバは、前記ネットワーク位置に含まれる時間情報に基づいて対応する前記対照データを提供する。
【発明の効果】
【００３６】
従来技術に比較して、本発明は、以下の作用効果を有する。
（１）単一の装置で活動的に展示する多種の機能が達成される。
（２）ウェブアドレスの再使用不可能な特性によりセキュリティ保護が達成される。
（３）最高の使用普及率を有するインターフェースにより単一のオブジェクト種類の設備の使用に高い利用性が達成される。
【図面の簡単な説明】
【００３７】
【図１】本発明の最適な実施形態の断面模式図である。
【図２】本発明の第１実施形態の構造模式図である。
【図３】本発明の第２実施形態の構造模式図である。
【図４】本発明の第１実施形態の第１実行方法を示すフローチャートである。
【図５】本発明の第２実施形態の第１実行方法を示すフローチャートである。
【図６】本発明の第１実施形態の第２実行方法を示すフローチャートである。
【図７】本発明の第２実施形態の第２実行方法を示すフローチャートである。
【図８】本発明の第１実施形態の第３実行方法を示すフローチャートである。
【図９】本発明の第２実施形態の第３実行方法を示すフローチャートである。
【発明を実施するための形態】
【００３８】
本発明の目的、特徴及び作用効果をより理解しやすくなるため、以下、本発明の好適な実施形態を挙げて詳細に説明する。
【実施例】
【００３９】
（第１実施形態）
図１、図２と図４に示す本発明の第１実施形態を参照する。まず、図１を参照し、この図に示すように、本発明に係るセキュリティ誘導装置は、集積回路モジュール（１０）を有し、前記集積回路モジュール（１０）は、基板（１１）と、メモリチップ（１２）と、制御素子（１３）と、接続インターフェース（１４）と、系列生成ユニット（１５）と、を備え、前記集積回路モジュール（１０）は、基板（１１）により各電気素子に電気的に接続され、また前記接続インターフェース（１４）が前記基板（１１）の外表面（１１１）に設けられる以外、その他の構成要素は前記基板（１１）の内表面（１１２）に設けられる。
【００４０】
次に、図２を参照し、この図に示すように、前記メモリチップ（１２）には、予め設定されたウェブアドレス（１２１）と、演算数式（１２２）とが格納されている。前記制御素子（１３）は、マンマシンインターフェース装置モジュール（１３１）と、自動キーインモジュール（１３２）と、を備えるように構成される。前記系列生成ユニット（１５）は、演算素子（１５２）を備えるように構成される。
【００４１】
具体的には、基板（１１）としては、プリント電気回路板又は印刷回路板とも称される印刷電気回路板であってもよく、電気素子の支持体となる重要な電気部材で電気素子を回路に接続するために提供される。メモリチップ（１２）は、電源供給を中断しても、メモリに格納されたデータが消えない不揮発性メモリであり、電源を再供給すれば、メモリ内のデータを読み取るとができる。制御素子（１３）は、汎用シリアルバスのコントローラである。本発明において、接続インターフェース（１４）は、汎用シリアルバス（Ｕｎｉｖｅｒｓａｌ  Ｓｅｒｉａｌ  Ｂｕｓ，ＵＳＢ）で、パソコンシステムと、外部装置と、をリンク接続するためのシリアルポートバス標準の１種であり、入力・出力インターフェースの技術基準の１種でもあり、個人パソコンやモバイル装置等のメッセージ通信製品に広汎に応用されると共に、その機能を撮像器材、デジタルテレビ（セットトップボックス）やゲーム機等のその他の関連分野に拡張し、このような普遍性に従って本発明は、多種の設備に広汎に応用される。系列生成ユニット（１５）は、プロセッサの１種であり、主にマイクロプロセッサ（ｍｉｃｒｏ  ｐｒｏｃｅｓｓｏｒ，μＰ）のようなプログラムできる特殊な集積回路を指す。
【００４２】
さらに、前記予め設定されたウェブアドレス（１２１）としては、例えば「ｈｔｔｐ：／／ｗｗｗ．ｗａｌｔｏｎ．ｃｏｍ．ｔｗ／」のような予め設定されたネットワーク位置であってもよい。前記演算数式（１２２）は、主に独特で認識可能な文字列を有する「ｘｏ５ＸＶｌＰｌ５ｚ６ｐ」のような文字列を生成するために用いられる独特な計算数式である。前記マンマシンインターフェース装置モジュール（１３１）は、汎用シリアルバスのマンマシンインターフェース装置を指し、主な機能として、キーボードまたはマウスを模擬する機能を有している。前記自動キーインモジュール（１３２）は、設定によって特定のキーボードの入力信号を発信するように行動する機能を有するものである。前記演算素子（１５２）は、計算機能を有する素子である。
【００４３】
以下、実行・操作手順の部分については、図２と図４を合わせて参照しながら説明する。なお、図２は、本発明の第１実施形態の構造模式図であり、図４は、本発明の第１実施形態の第１実行方法を示すフローチャートである。まず、図２と図４を同時に参照し、これらの図に示すように、集積回路モジュール（１０）の前記接続インターフェース（１４）を設備（２０）のスロット（２１）に挿入するステップ１（３０１）と、前記集積回路モジュール（１０）と前記設備（２０）と、を相互に電力導通するステップ２（３０２）と、集積回路モジュール（１０）の前記制御素子（１３）のマンマシンインターフェース装置モジュール（１３１）がキーボードモードで前記設備（２０）に電気的に接続されるステップ３（３０３）と、また前記系列生成ユニット（１５）よりネットワーク位置（１５１）を生成するステップ４（３０４）と、それから前記系列生成ユニット（１５）の演算素子（１５２）で前記メモリチップ（１２）の演算数式（１２２）を読み取ってシリアル番号を生成し、また前記メモリチップ（１２）の予め設定されたウェブアドレス（１２１）を前記シリアル番号の前に追加して前記ネットワーク位置（１５１）を生成するステップ４−１（３０４１）と、前記制御素子（１３）の自動キーインモジュール（１３２）から特定のブラウザ開始のキー操作指令を発信して、特定のブラウザを立ち上げるステップ５（３０５）と、そして前記自動キーインモジュール（１３２）が特定の入力指令を発信することにより、前記特定のブラウザのウェブアドレス欄に入力状態を表示させるステップ５−１（３０５１）と、その後、前記ウェブアドレス欄に、前記自動キーインモジュール（１３２）から前記ネットワーク位置（１５１）を提出してキーインすると共に、前記ネットワーク位置（１５１）に接続するステップ６（３０６）と、最後に前記ネットワーク位置（１５１）のサーバ（３０）が認証ユニット（３１）を使用して前記ネットワーク位置（１５１）に対応する対照データ（３２）を読み取ると共に、相対情報を前記設備（２０）に返送するステップ７（３０７）と、を含む。
【００４４】
ここで、前記設備（２０）は、汎用シリアルバスインターフェースを有する電気装置を指す。また、前記スロット（２１）は、汎用シリアルバスインターフェースの雌型コネクタである。前記サーバ（３０）は、資源を管理すると共に、ユーザにサービスを提供するためのパソコンソフトウェア・ハードウェアであり、認証ユニット（３１）と、対照データ（３２）と、を備え、前記認証ユニット（３１）は、サービス形態で認証を行い、対照データ（３２）は、データベース形態で記憶する。それらの構成要素の他に、前記サーバ（３０）には、さらに基本サービスに関する情報を含んでもよい。
【００４５】
より好ましいのは、図６を参照し、この図に示すように、ステップ７（３０７）において、前記サーバ（２０）の記録データに使用された前記ネットワーク位置（１５１）を記録しており、その記録データに対して前記ネットワーク位置（１５１）の使用が非重複である場合、前記ネットワーク位置（１５１）の内容を開始する（ステップ７−１：３０７１）ことから、前記の方法により生成された及び使用されたネットワーク位置の再使用を絶つことができる。
【００４６】
また、図８に示すように、ステップ７（３０７）において、前記サーバ（２０）は、リンク接続される時間に基づいて対応する前記対照データ（３２）を提供してもよく（ステップ７−３：３０７３）、時間条件に基づいて異なる情報を展示することができると共に、本発明によれば、端末ユーザに対する価値を増加させ、かつプロバイダの装置購入コストを低減させる。
【００４７】
以下、重複した説明を省略するため、第２実施形態に使用される部品が第１実施形態と同一である場合、第１実施形態に使用される素子の符号を受け継いで使い続け、かつ同一の定義と同一の機能を付与する。これにより、第２実施形態に使用される部品が前述した内容を参照・引用できる場合において、以下、繰り返す説明は省略する
【００４８】
（第２実施形態）
図１、図３と図５に示す本発明の第２実施形態を参照し、第１実施形態との最大相違点は、電波時計素子（１５３）と、時刻校正ユニット（１６）と、蓄電ユニット（１７）と、を付加することにある。その他の部分は、図１に示した第１実施形態の説明と同様である。
【００４９】
詳しく言えば、前記電波時計素子（１５３）は、極めて精確な電波受信機が内蔵されており、毎日、世界各地の基地局から発信される「標準時」電波を自動的に受信することによって、時刻と日付を自動的に校正する時刻校正素子である。前記時刻校正ユニット（１６）は、時刻校正のモバイルをトリガするためのトリガ素子であり、キー押下、導通スイッチやタッチ制御スイッチ等の方式でトリガを発生する。前記蓄電ユニット（１７）は、電気エネルギーを一時的に蓄える蓄電素子であり、接続インターフェース（１４）を介して設備（２０）に電気的に接続される時に、部分的に電気エネルギーを格納しておく、必要に応じて時刻校正を行う時には、電気エネルギーを放出して使用する。
【００５０】
実行・操作手順の部分については、図３と図５を合わせて参照しながら説明する。なお、図３は、本発明の第２実施形態の構造模式図であり、図５は、本発明の第２実施形態の第１実行方法を示すフローチャートである。まず、図３と図５を同時に参照し、これらの図に示すように、前記集積回路モジュール（１０）の時刻校正ユニット（１６）を押圧して電波時計素子（１６）で時間を校正する目的を達成する前置ステップ（３００）と、集積回路モジュール（１０）の前記接続インターフェース（１４）を設備（２０）のスロット（２１）に挿入するステップ１（３０１）と、前記集積回路モジュール（１０）と前記設備（２０）と、を相互に電力導通するステップ２（３０２）と、集積回路モジュール（１０）の前記制御素子（１３）のマンマシンインターフェース装置モジュール（１３１）がキーボードモードで前記設備（２０）に電気的に接続されるステップ３（３０３）と、また前記系列生成ユニット（１５）よりネットワーク位置（１５１）を生成するステップ４（３０４）と、それから前記系列生成ユニット（１５）の演算素子（１５２）で前記メモリチップ（１２）の演算数式（１２２）及び前記電波時計素子（１５３）が提供される時間情報を読み取ってシリアル番号を生成し、また前記メモリチップ（１２）の予め設定されたウェブアドレス（１２１）を前記シリアル番号の前に追加して前記ネットワーク位置（１５１）を生成するステップ４−２（３０４２）と、前記制御素子（１３）の自動キーインモジュール（１３２）から特定のブラウザ開始のキー操作指令を発信して、特定のブラウザを立ち上げるステップ５（３０５）と、そして前記自動キーインモジュール（１３２）が特定の入力指令を発信することにより、前記特定のブラウザのウェブアドレス欄に入力状態を表示させるステップ５−１（３０５１）と、その後、前記ウェブアドレス欄に、前記自動キーインモジュール（１３２）から前記ネットワーク位置（１５１）を提出してキーインすると共に、前記ネットワーク位置（１５１）に接続するステップ６（３０６）と、最後に前記ネットワーク位置（１５１）のサーバ（３０）が認証ユニット（３１）を使用して前記ネットワーク位置（１５１）に対応する対照データ（３２）を読み取ると共に、相対情報を前記設備（２０）に返送するステップ７（３０７）と、を含む。
【００５１】
より好適なのは、図７を参照し、この図に示すように、ステップ７（３０７）において、前記認証ユニット（３１）より使用される前記ネットワーク位置（１５１）が時間検証メカニズムを満たすか否かを認証し、前記ネットワーク位置（１５１）の使用時間が時間検証メカニズムを満たす場合、前記ネットワーク位置（１５１）に対応する正確な内容を提供する（ステップ７−２：３０７２）ことから、前記の方法により生成された及び使用されたネットワーク位置の再使用を絶つことができる。
【００５２】
また、図９に示すように、ステップ７（３０７）において、前記サーバ（２０）は、前記ネットワーク位置（１５１）に含まれる時間情報に基づいて対応する前記対照データ（３２）を提供してもよく（ステップ７−４：３０７４）、時間条件に基づいて異なる情報を展示することができると共に、本発明によれば、端末ユーザに対する価値を増加させ、かつプロバイダの装置購入コストを低減させる。
【産業上の利用可能性】
【００５３】
以上のことより、本発明の作用効果は、伝統的な誘導装置と違って、汎用シリアルバスとの応用は、実に独創的で、特許要件を満たすものであるため、法に基づき、特許出願を提出する。
【００５４】
ただ、本発明は、上記のように好適な実施形態として開示したが、これは本発明を制限するものではなく、本発明の明細書、特許請求の範囲または図面を逸脱しない範囲で行う等効果変更は、いずれも本発明が保護しようとする技術範囲に属するため、本発明の保護範囲は、後述する特許請求の範囲で定義したものを基準とすることを念のため申し添える。
【符号の説明】
【００５５】
１０  集積回路モジュール
１１  基板
１１１  外表面
１１２  内表面
１２  メモリチップ
１２１  予め設定されたウェブアドレス
１２２  演算数式
１３  制御素子
１３１  マンマシンインターフェース装置モジュール
１３２  自動キーインモジュール
１４  接続インターフェース
１５  系列生成ユニット
１５１  ネットワーク位置
１５２  演算素子
１５３  電波時計素子
１６  時刻校正ユニット
１７  蓄電ユニット
２０  設備
２１  スロット
３０  サーバ
３１  認証ユニット
３２  対照データ
３００  前置ステップ
３０１  ステップ１
３０２  ステップ２
３０３  ステップ３
３０４  ステップ４
３０４１ ステップ４−１
３０４２ ステップ４−２
３０５  ステップ５
３０５１ ステップ５−１
３０６  ステップ６
３０７  ステップ７
３０７１ ステップ７−１
３０７２ ステップ７−２
３０７３ ステップ７−３
３０７４ ステップ７−４
【図２】
0005852682.tif 000002
【図３】
0005852682.tif 000003
【図４】
0005852682.tif 000004
【図５】
0005852682.tif 000005
【図６】
0005852682.tif 000006
【図７】
0005852682.tif 000007
【図８】
0005852682.tif 000008
【図９】
0005852682.tif 000009
【図１】
0005852682.tif 000010